(57)【要約】【課題】大型スクリーンや大型ディスプレイ等のスコアボード以外の目的に広く利用されているディスプレイ装置を、スコアボードとして利用可能とする新規な構造からなるスコア表示装置、およびそのスコア表示装置の新規な制御方法を提供する。【解決手段】タッチパネル３を装着した入力用ディスプレイ２を設け、当該入力用ディスプレイ２に、少なくとも二種目以上の競技種目、競技種目選択画面選択競技用スコアボード画面等を適宜自動、選択的に表示すると共に、該タッチパネル３からの入力に応じた各種スコアボード表示信号を、ビデオ信号によって外部出力可能とする制御機能部４を設けてなるスコア表示装置である。【選択図】    図１
2004208882.tif 000002
【特許請求の範囲】
【請求項１】
タッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面をタッチパネルからの入力状況に応じて適宜自動、選択的に表示すると共に、該タッチパネルからの入力に応じた各種スコアボード表示信号をビデオ信号によって外部出力可能とする制御機能部を設けてなることを特徴とするスコア表示装置。
【請求項２】
表示画像を透視可能な程度に透明であり、手指または入力用ペン等の入力具による直接入力を可能としたタッチパネルを画面上に積層状に装着した入力用ディスプレイを設け、電気的制御回路を有し、当該電気的制御回路による自動制御に従い、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けてなることを特徴とするスコア表示装置。
【請求項３】
表示画像を透視可能な程度に透明であり、手指による直接入力が可能なタッチパネルを画面上に積層状に装着した入力用ディスプレイを設け、読取専用メモリーを有してこれに予め記憶された制御プログラムに従い、少なくとも二種目以上複数種目の競技種目を表示するようにし、その中から何れか一種目をタッチパネルを介して任意選択可能とする競技種目選択画面、および選択された競技毎に個別のスコアボードを表示させるようにし、さらに該スコアボードへのタッチパネルを介した入力を可能とする選択競技用スコアボード画面、およびスコアボード上に表示するチーム名や選手名等をタッチパネルを通じて文字入力可能とする入力用キーボード画面等の各入力画面を、入力状況に応じて適宜自動選択的に表示すると共に、当該タッチパネルからの入力に応じた各種スコアボード表示信号をビデオ信号によって外部出力可能とする制御機能部を設けてなることを特徴とするスコア表示装置。
【請求項４】
表示画像を透視可能な程度に透明であり、手指による直接入力が可能なタッチパネルを画面上に積層状に装着した入力用ディスプレイを設け、外部プログラム用入力部、および同外部プログラム用入力部を通じて入力された制御プログラムを一時的に記憶可能な読取書込用メモリーを有し、この読取書込用メモリーに一時的に書き込み記憶された制御プログラムに従い、少なくとも二種目以上複数種目の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面、およびスコアボード上に表示するチーム名や選手名等をタッチパネルを通じて文字入力可能とする入力用キーボード画面等の各入力画面を、入力状況に応じて適宜自動選択的に表示すると共に、当該タッチパネルからの入力に応じた各種スコアボード表示信号をビデオ信号によって外部出力可能とする制御機能部を設けてなることを特徴とするスコア表示装置。
【請求項５】
表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、予め準備された選手情報、試合条件等の各種データの入力や、試合後に得られた得失点や選手交代等に関する各種データの出力および保存を可能とするリムーバブルメディア用の入出力用補助ドライブを設けてなることを特徴とするスコア表示装置。
【請求項６】
表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、試合後に得られた得失点や選手交代等に関する各種データの出力および保存を可能とする熱転写型あるいはインクジェット型等の小型プリンターを一体に設けてなることを特徴とするスコア表示装置。
【請求項７】
表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、同制御機能部には、複数の審判入力用端末を接続可能な一個または複数個の端末用受信部を形成し、各審判入力用端末から各審判の入力信号を個別に受信し、全てスコアボード画面に表示するか、または各審判の結果入力信号の中の最高点と最抵点とを除いた点数の平均点あるいは合計点を自動的に表示する等、各審判が自らの判定結果を手元の審判入力用端末に入力すると、各競技の採点方式に従って適宜演算処理し、その採点結果を前記スコアボード表示信号に瞬時に加味し、ビデオ信号化して自動的に外部出力可能とする機能を付加してなるものとしたことを特徴とするスコア表示装置。
【請求項８】
入力用ディスプレイが、画面サイズを１７インチ以下とした比較的持ち運び易い液晶ディスプレイである、請求項１ないし７何れか一項記載のスコア表示装置。
【請求項９】
制御機能部が、読取専用メモリー、読取書込用メモリーまたはその他のリムーバブルメディア等による補助メモリーに接続、または接続可能とされたＩＣまたはＬＳＩを用いたＣＰＵからなる、請求項１ないし７何れか一項記載のスコア表示装置。
【請求項１０】
制御機能部は、入力用ディスプレイに少なくとも二種目以上の競技種目から一種目を任意選択可能とする競技種目選択画面を表示する競技種目選択工程、入力用ディスプレイに選択競技用スコアボード画面を表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力等を受け、入力に応じたスコアボード表示信号をビデオ信号によって外部出力するビデオ信号出力継続工程を順次、実行可能な制御機能を有するものとしてなる、請求項１ないし７何れか一項記載のスコア表示装置。
【請求項１１】
表示画像を透視可能な程度に透明であり、手指または入力用ペン等の入力具による直接入力を可能としたタッチパネルを画面上に積層状に装着した入力用ディスプレイを設け、当該入力用ディスプレイに、少なくとも二種目以上の競技種目を表示し、その中から何れか一種目を任意選択可能とする競技種目選択画面、および選択された競技毎に個別のスコアボードを表示、ならびに該スコアボードへの入力を可能とする選択競技用スコアボード画面等の各入力画面を入力状況に応じて適宜選択的に表示すると共に、該タッチパネルからの入力に応じた各種スコアボード表示信号をビデオ信号によって外部出力可能とする制御機能部を設けてなるスコア表示装置を用いて、入力用ディスプレイに少なくとも二種目以上の競技種目から一種目を任意選択可能とする競技種目選択画面を表示する競技種目選択工程、入力用ディスプレイに選択競技用スコアボード画面を表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力等を受け、入力に応じたスコアボード表示信号をビデオ信号によって外部出力するビデオ信号出力継続工程とからなることを特徴とする、請求項１ないし１０何れか一項記載のスコア表示装置の制御方法。
【請求項１２】
表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示し、その中から何れか一種目を任意選択可能とする競技種目選択画面、および選択された競技毎に個別のスコアボードを表示、ならびに該スコアボードへの入力を可能とする選択競技用スコアボード画面等の各入力画面を入力状況に応じて適宜選択的に表示すると共に、該タッチパネルからの入力に応じた各種スコアボード表示信号をビデオ信号によって外部出力可能とする制御機能部を設けた上、予め準備された選手情報、試合条件等の各種データの入力や、試合後に得られた得失点や選手交代等に関する各種データの出力および保存を可能とするリムーバブルメディア用の入出力用補助ドライブを設けてなるスコア表示装置を用い、当該スコア表示装置に単独のあるいはビデオスプリッタ等の接続機器を介して複数台の出力用ディスプレイを接続し、入力用ディスプレイに少なくとも二種目以上の競技種目から一種目を任意選択可能とする競技種目選択画面を表示する競技種目選択工程、タッチパネルからの入力によって任意に選択された競技種目に応じた選択競技用スコアボード画面を入力用ディスプレイに表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受けるか、あるいは予め準備されたリムーバブルメディアを介して同様のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力を受け、入力に応じたスコアボード表示信号をビデオ信号によって外部出力するビデオ信号出力継続工程とからなることを特徴とする、請求項１ないし１０何れか一項記載のスコア表示装置の制御方法。
【発明の詳細な説明】
【０００１】
【発明の目的】
この発明は、競技会場内における出場選手や観客等に向けて得点や審判の判定内容、試合時間の経過状況等の情報を、競技の進行に伴い、掲示可能とする競技用のスコアボードに関するものであって、特に、競技毎に専用化している競技用スコアボードを、大型スクリーンや大型ディスプレイ等の、スコアボード以外の目的に広く利用されているディスプレイ装置をスコアボードとして利用可能とする新規な構造からなるスコア表示装置、およびそのスコア表示装置の新規な制御方法を提供しようとするものである。
【０００２】
【従来の技術】
体育館や競技場等の各種スポーツ施設において競技を行ったり、観戦したりするのに欠かせないものとして、遠隔操作によってチーム名や出場選手名、審判員の氏名、得点、時計等の各種情報を、試合中の選手や競技場内の観客等が、見ることができるよう電光表示する大型のスコアボードがあり、近代的なスポーツ施設の殆どに普及し、利用されている。
【０００３】
このような電光表示型のスコアボードは、一般に競技種目や施設の大きさに応じた面積をもつ掲示ボードの全面に渡り、単一の競技種目専用のものとするよう各種表示項目毎に表示欄を仕切り、それら表示欄毎に必要な文字や数字を表示可能とする複数のＬＥＤを縦横に埋設したものであり、野球場やサッカー場、テニスコート等の限られた競技が行われる専用競技場に設置する場合には、スコアボードの操作を熟知した専属の係員をおいて支障の無い利用が可能であるが、一般的な体育館のようにバスケットボールやバレーボール、卓球等の各種球技の外、柔道や剣道等の武道等、多種多様な競技が行なわれる施設では、それら一つ一つの競技用に、数百万円から、物によっては一千万円を越すものまでがある個別のスコアボードを購入しなければならず、大抵のスポーツ施設が自治体が抱えることから、その管理、運営に当ることとなる自治体の財政負担は相当なものとなっていた。
【０００４】
また、この経済的な問題に加えて操作性の問題もあって、競技毎に型式の異なるスコアボードを使用しなければならないため、限られた係員が全てのスコアボードを円滑に操作することが極めて困難であり、特にアマチュアスポーツのように、普段はスコアボード等一切触れることもない一般の人が、操作内容を熟知した係員が不在である等の理由から、競技大会の当日になって初めてスコアボードを操作しなければならない状況となったとき等には、殆ど正しい操作を行うことができず、仕方なく手捲り型や得点札を下げるもの、あるいは黒板にチョークで書き込む手書き型等、旧来型のスコア表示を行わざるを得なくなってしまい、折角高額な電光表示システムを導入しているにも拘らず、なかなか有効に利用することができないという欠点をもつものであった。
【０００５】
このような欠点を解消しようとして、例えば、特開平７−４４１２０号公報に掲載のある発明のように、多数の発光素子を有する表示ユニットが縦横に配置された表示板と、種々のデータを前記表示板に入力する操作入力部とを任意位置に接続するローカルエリアネットワークを設け、使用状態に応じて表示板や操作入力部の増設、削減、設置位置の変更等を容易に行うことができるようにした競技場で使用される大型映像表示装置やスコアボードの「表示装置」や、特開平１１−３３１５８号公報に掲載された、競技種目に応じたスコア表示を小型で消費電力の少ない必要最小限の電光表示によって行い、自然エネルギを電気エネルギに変換する発電手段と、電力幹線との２ウェイ方式の電源手段を有し、草野球や草サッカー等に利用されるような簡易グラウンド等でも使用可能とした「多目的簡易電光表示スコアボード装置」等、幾つかのものが既に開発されている。
【０００６】
これ等提案のあるスコア表示装置は、多種目の競技に対応して各種設定を容易且つ自在に変更可能としたものであるが、前者の「表示装置」発明では、複雑な表示システムの全体を把握した限られた係員による操作が不可欠となってしまうという問題が解決されておらず、また、後者の「多目的簡易電光表示スコアボード装置」発明の場合は、こうした欠点を、一応スコア装置の構造を簡素化し、誰にでも比較的簡便に利用可能として解決し得てはいるものの、しかしながら、何れのスコア表示装置も、磁気反転型表示器やＬＥＤランプ型表示器等の専用表示器が不可欠であり、旧来型のスコア表示装置と同様に製造元での受注生産が主な出荷形態となるものであった。
【０００７】
この発明は、以上のような電光掲示型のスコア表示装置の実情に鑑み、高い汎用性と平易な操作性とを確保し、廉価にて市場に提供可能なスコア表示装置を実現することはできないものかとの判断から、逸速くその開発、研究に着手し、長期に渡る試行錯誤と幾多の試作、実験とを繰り返してきた結果、今回、遂に新規な構造のスコア表示装置、およびスコア表示装置の新規な制御方法を実現化することに成功したものであり、以下では、図面に示すこの発明を代表する実施例と共に、その構成を詳述することとする。
【０００８】
【発明の構成】
図面に示すこの発明を代表する実施例からも明確に理解されるように、この発明のスコア表示装置は、基本的に次のような構成から成り立っている。
即ち、タッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面をタッチパネルからの入力状況に応じて適宜自動、選択的に表示すると共に、該タッチパネルからの入力に応じた各種スコアボード表示信号をビデオ信号によって外部出力可能とする制御機能部を設けてなる構成を要旨とするスコア表示装置である。
【０００９】
この基本的な構成からなるスコア表示装置を、より具体的な構成のものとして示すと、表示画像を透視可能な程度に透明であり、手指または入力用ペン等の入力具による直接入力を可能としたタッチパネルを画面上に積層状に装着した入力用ディスプレイを設け、電気的制御回路を有し、当該電気的制御回路による自動制御に従い、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けてなる構成によるスコア表示装置ということができる。
【００１０】
また同様に、表示画像を透視可能な程度に透明であり、手指による直接入力が可能なタッチパネルを画面上に積層状に装着した入力用ディスプレイを設け、読取専用メモリーを有してこれに予め記憶された制御プログラムに従い、少なくとも二種目以上複数種目の競技種目を表示するようにし、その中から何れか一種目をタッチパネルを介して任意選択可能とする競技種目選択画面、および選択された競技毎に個別のスコアボードを表示させるようにし、さらに該スコアボードへのタッチパネルを介した入力を可能とする選択競技用スコアボード画面、およびスコアボード上に表示するチーム名や選手名等をタッチパネルを通じて文字入力可能とする入力用キーボード画面等の各入力画面を、入力状況に応じて適宜自動選択的に表示すると共に、当該タッチパネルからの入力に応じた各種スコアボード表示信号をビデオ信号によって外部出力可能とする制御機能部を設けたスコア表示装置ということもできる。
【００１１】
さらには、表示画像を透視可能な程度に透明であり、手指による直接入力が可能なタッチパネルを画面上に積層状に装着した入力用ディスプレイを設け、外部プログラム用入力部、および同外部プログラム用入力部を通じて入力された制御プログラムを一時的に記憶可能な読取書込用メモリーを有し、この読取書込用メモリーに一時的に書き込み記憶された制御プログラムに従い、少なくとも二種目以上複数種目の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面、およびスコアボード上に表示するチーム名や選手名等をタッチパネルを通じて文字入力可能とする入力用キーボード画面等の各入力画面を、入力状況に応じて適宜自動選択的に表示すると共に、当該タッチパネルからの入力に応じた各種スコアボード表示信号をビデオ信号によって外部出力可能とする制御機能部を設けてなる構成のスコア表示装置であるということができる。
【００１２】
そして、必要に応じて、表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、予め準備された選手情報、試合条件等の各種データの入力や、試合後に得られた得失点や選手交代等に関する各種データの出力および保存を可能とするリムーバブルメディア用の入出力用補助ドライブを設けてなる構成としたスコア表示装置とすることが可能である。
【００１３】
あるいはまた、表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、試合後に得られた得失点や選手交代等に関する各種データの出力および保存を可能とする熱転写型あるいはインクジェット型等の小型プリンターを一体に設けてなる構成のスコア表示装置とすることができる。
【００１４】
しかも、表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示するようにし、その中から何れか一種目をタッチパネルを介して任意選択可能とする競技種目選択画面、および選択された競技毎に個別のスコアボードを表示させ、さらに該スコアボードへのタッチパネルを介した入力を可能とする選択競技用スコアボード画面等の各入力画面を入力状況に応じて適宜自動選択的に表示すると共に、該タッチパネルからの入力に応じた各種スコアボード表示信号をビデオ信号によって外部出力可能とする制御機能部を設けた上、同制御機能部には、複数の審判入力用端末を接続可能な一個または複数個の端末用受信部を形成し、各審判入力用端末から各審判の入力信号を個別に受信し、全てスコアボード画面に表示するか、または各審判の結果入力信号の中の最高点と最抵点とを除いた点数の平均点あるいは合計点を自動的に表示する等、各審判が自らの判定結果を手元の審判入力用端末に入力すると、各競技の採点方式に従って適宜演算処理し、その採点結果を前記スコアボード表示信号に瞬時に加味し、ビデオ信号化して自動的に外部出力可能とする機能を付加してなるものとしたスコア表示装置とすることが可能である。
【００１５】
タッチパネルは、入力用ディスプレイ画面中のスイッチ表示箇所に手指や入力用のペン等を接触させることにより、制御機能部に対して直接入力可能とする機能を果たすものであり、パソコンにおけるマウスのように現在のカーソル位置からの移動方向および移動量を伝える相対座標入力ではなく、画面上の指示位置を直接伝える絶対座標入力を可能とするポインティングディバイスとしなければならず、このような直接的な入力が可能なタッチパネルであれば、如何なる形式のものも採用することが可能であり、例えば光結合型、抵抗型、接触型、磁気結合型または容量結合型、あるいはそれらの組合せによって形成されたものとすることが可能であり、換言すれば押圧、接触、遮光、人の静電容量を利用するもの等様々な形式のものの中から最適なものを採用することが可能である。特に手指入力による場合には、抵抗膜方式、静電容量方式、赤外線方式、超音波方式等を用いるのが望ましく、ペン入力する場合には、より分解能の高い静電誘導方式や静電結合方式等を採用するのが望ましいものである。また、入力用ディスプレイであるＬＣＤ（Ｌｉｑｕｉｄ  Ｃｒｙｓｒａｌ  Ｄｉｓｐｌａｙ）やＣＲＴ（Ｃａｔｈｏｄｅ  Ｒａｙ  Ｔｕｂｅ）等に重ねて使用することを考慮して８０％以上の光透過率を確保し、十分な視認性が得られる透明度に設定されたものとするのが望ましい。
【００１６】
入力用ディスプレイは、制御機能部から送られる画像信号を光に変換し、人間の目に見える像を発生させると共に、画面上にタッチパネル用のスイッチの役割を果たす機能範囲を設定表示可能とし、そのスイッチ機能範囲を表示画面の内容に応じて変更して表示することを可能とする機能を果たすものであり、例えばＴＦＴ（Ｔｈｉｎ  Ｆｉｌｍ  Ｔｒａｎｓｉｓｔｏｒ）等のＬＣＤやあるいはＰＤＰ（Ｐｌａｓｍａ  Ｄｉｓｐｌａｙ  Ｐａｎｅｌ）とすることが可能であるが、使用目的を考慮すれば比較的廉価に製造可能なＣＲＴや、運搬性や収納性に秀れたＬＣＤを使用すべきであり、画面サイズを１７インチ以下とした比較的持ち運び易い液晶ディスプレイとするのが望ましく、ＰＤＡ（Ｐｅｒｓｏｎａｌ  Ｄｉｇｉｔａｌ  Ａｓｓｉｓｔａｎｃｅ）のように掌に収まるくらいの大きさに設定することも可能である。
【００１７】
制御機能部は、入力用ディスプレイとタッチパネルとの双方に電気的に接続され、制御プログラムに従って入力用ディスプレイに対して表示すべき画像信号を出力すると共に、タッチパネルからの入力信号を受け、その入力信号に応じて制御プログラムに従い入力用ディスプレイへの画像信号を出力し、しかも同入力信号に応じて制御プログラムに従い、スコアボード表示信号をビデオ信号によって外部出力するよう自動制御可能とする機能を果たすものであり、実質的には電気的制御回路であって具体的なものとしては、ＭＰＵ（Ｍｉｃｒｏ  Ｐｒｏｃｅｓｓｉｎｇ  Ｕｎｉｔ）またはＣＰＵ（Ｃｅｎｔｒａｌ  ＰｒｏｃｅｓｓｉｎｇＵｎｉｔ）等を形成するＩＣ（Ｉｎｔｅｇｒａｔｅｄ  Ｃｉｒｃｕｉｔ）やＬＳＩ（Ｌａｒｇｅ  Ｓｃａｌｅ  Ｉｎｔｅｇｒａｔｉｏｎ）、ＶＬＳＩ（ＶｅｒｙＬａｒｇｅ  Ｓｃａｌｅ  Ｉｎｔｅｇｒａｔｉｏｎ）といった半導体チップから形成されたものとすべきであり、Ｃ言語、Ｃ＋＋言語、ラダー言語、ＢＡＳＩＣ，Ｆｏｒｔｒａｎ，ＣＯＢＯＬ等の一般的な各種何れかのプログラミング言語によって作成された制御プログラムをコンパイラによって機械語に変換し、アセンブラを介して同制御プログラムに従って動作可能とするよう形成するのが望ましい。
【００１８】
また、制御機能部は、読取専用メモリー、読取書込用メモリーまたはその他のリムーバブルメディア等による補助メモリーに接続または接続可能とされたＩＣまたはＬＳＩを用いたＣＰＵからなるものとし、制御プログラムを、ＣＰＵにか、またはＣＰＵに接続された読取専用メモリー、読取書込用メモリーあるいはその他のリムーバブルメディア等による補助メモリーに書換え不能か、もしくは書換え可能に記憶し、その制御プログラムに従って自動制御可能なものとすることができる外、ＯＳ（Ｏｐｅｒａｔｉｎｇ  Ｓｙｓｔｅｍ）を、ＣＰＵか、またはＣＰＵに接続された読取専用メモリー、読取書込用メモリーあるいはその他のリムーバブルメディア等による補助メモリーに書換え不能か、もしくは書換え可能に記憶し、実行されたＯＳ上においてアプリケーションソフト化された制御プログラムに従い、自動制御可能なものとすることができる。
【００１９】
表現を変えて示すと、制御機能部は、入力用ディスプレイに少なくとも二種目以上の競技種目から一種目を任意選択可能とする競技種目選択画面を表示する競技種目選択工程、入力用ディスプレイに選択競技用スコアボード画面を表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力等を受け、入力に応じたスコアボード表示信号をビデオ信号によって外部出力するビデオ信号出力継続工程を、順次実行可能な制御機能を有するものとすべきである。
【００２０】
ビデオ信号は、制御機能部から出力されることにより、それを受信した一般的なビデオ信号を受信可能な出力用ディスプレイが、制御機能部からの出力画像を表示可能とする機能を果たすものであり、例えばＮＴＳＣ（ＮａｔｉｏｎａｌＴｅｌｅｖｉｓｉｏｎ  Ｓｔａｎｄａｒｄｓ  Ｃｏｍｍｉｔｔｅｅ）方式、各種ＰＡＬ（Ｐｈａｓｅ  Ａｌｔｅｒｎａｔｉｏｎ  ｂｙ  Ｌｉｎｅ）方式、各種ＳＥＣＡＭ（ＳＥｑｕｅｎｔｉａｌ  Ｃｏｕｌｅｕｒ  Ａ  Ｍｅｍｏｉｒｅ）方式等の地上波アナログカラーテレビ放送あるいはモノクロテレビ放送の方式に準じた信号とするか、地上波デジタルカラーテレビ放送用の信号としたもの、あるいはＭＵＳＥ（Ｍｕｌｔｉｐｌｅ  Ｓｕｂ−ｎｙｑｕｉｓｔ  Ｅｎｃｏｄｉｎｇ）方式によって圧縮されたアナログハイビジョン信号、または各種デジタルハイビジョン信号等の高精細度方式の信号、ＢＳやＣＳを始めとする各種衛星放送信号等、国内外市場に広く普及するテレビ受像機が受信し、正常に画像表示可能な信号としなければならない。
【００２１】
また、それは制御機能部のビデオ信号出力用の電気回路部から出力されるものであって、より具体的にはＣＰＵに接続され、画像描画のためのＬＳＩチップや、画面イメージを保持するＶＲＡＭ（画像読取書込用メモリー）、または外部出力用の接続端子を有するビデオカード等の拡張カードから出力する信号であるということができ、例えば我が国内において現在使用する場合には、ＮＴＳＣ方式ならびにＭＵＳＥ方式等を採用するのが望ましく、必要に応じて他の信号方式に変換して出力可能なものとすることができる。またＭＰＥＧ（Ｍｏｖｉｎｇ  Ｐｉｃｔｕｒｅ  Ｅｘｐｅｒｔｓ  Ｇｒｏｕｐ）規格に準じた信号等のように、今後新たにテレビ受像機で受信可能となることが予想される画像信号方式や、将来において普及する信号方式を採用したものとすることができる。
【００２２】
また、ビデオ信号には、画像信号の他に音声信号を加味して発信することも可能であり、例えば、タイマーに連動する試合開始や終了のホイッスル音、時間を刻むタイマー音、競技開始前および終了後の入場、退場曲あるいはＢＧＭ等を出力用ディスプレイか、または利用施設の放送システムに接続して場内放送することも可能であり、このような制御を可能とするために制御機能部に音響用の電気回路を追加することができる外、音声や画像の処理に特化したマイクロプロセッサを設けたものとすることが可能である。
【００２３】
外部プログラム用入力部は、制御機能部におけるスコアボード表示のための制御プログラムを、読取可能に記憶した外部メモリーから読み取り可能とすることにより、目的とする競技種目に応じたスコアボードの制御プログラムのみを、読取書込用メモリーに一時的に書き込み、この制御プログラムに従って該当する競技種目のスコアボード画像の表示信号を出力可能とする機能を果たすものであり、例えば、スコアボード表示のための制御プログラムを記憶させたカセット型のＲＯＭ、各種メモリーカード、フラッシュメモリー、フロッーピーディスク、ＭＯディスク、ＣＤ−ＲＯＭ、ＤＶＤ等の各種リムーバブルメディアを読み取り可能とする入力部か、あるいは、同制御プログラムを記憶しているコンピュータ端末やホストコンピュータに直接的にあるいはＬＡＮやインターネット等を介して間接的に接続可能な接続部等であるということができる。
【００２４】
入出力用補助ドライブは、本来ならば競技の開始前にタッチパネルを介して入力しなければならないチーム名や選手名等の各種事前の情報を、予め記録作成しておいたリムーバブルメディアを介して入力可能とすると共に、競技終了後の点数や選手交代等の各種競技結果データをリムーバブルメディアに向けて出力し、記憶させる機能を果たすものであり、前記外部プログラム用入力部と同様に、カセット型のＲＯＭ、各種メモリーカード、フラッシュメモリー、フロッーピーディスク、ＭＯディスク、ＣＤ−ＲＯＭ、ＤＶＤ等の各種リムーバブルメディアを読み取り可能とする入力用ドライブか、あるいは、同制御プログラムを記憶しているコンピュータ端末やホストコンピュータに直接的にあるいはＬＡＮやインターネット等を介して間接的に接続可能とした接続部等とすることができる。
【００２５】
端末用受信部は、当該スコア表示装置とは別体に設けられた入力用端末からの出力信号を受信し、制御機能部へ伝送可能とすることにより、タッチパネルを操作する者以外を含む複数人がスコア表示装置への入力を可能とすると共に、タッチパネルから離れた場所からの送信も受信可能とする機能を果たすものであり、制御機能部に一体か、または接続可能に別体に設けられ、前記タッチパネル以外であって当該スコア表示装置とは別体か、もしくは接続線等を介して別体状に設けられた入力用端末からの有線または無線による信号を受信可能とするものであり、例えば複数の審判が個別に入力可能な審判入力用端末からの信号を受信可能とする各入力用端末用の接続端子や、入力用端末からの無線信号を受信可能な無線受信回路等とすることができ、制御機能部に対して複数の端末用受信部を設け、複数の入力用端末からの信号を同時に受信可能とするか、あるいは制御機能部に対して単一か、または入力用端末の数に及ばない数の端末用受信部を設けて複数の入力用端末からの信号を、瞬時の中に順次、整然と受信して制御機能部に送信可能とするよう形成したものとすることができる。
【００２６】
また、端末用受信部は、審判入力用端末からの信号を受信するもののみに限定されず、例えばフェンシングの剣を突く動作に連動する電気審判機や、水泳競技用プールのタッチ板を用いた競技用時計システム等のように、競技する選手自身が、競技を行うことによって自動的に操作することとなる審判装置からの信号を受信可能とするか、または当該スコア表示装置自体が、これら電気審判機や競技用時計システム等を肩代わりする機能を兼ね備えたものとするよう、各種スイッチからの信号を受信可能なものとすることができる。
【００２７】
小型プリンターは、制御機能部に入力された各種情報を、タッチパネルを操作することにより、その場で簡便に印刷出力可能とする機能を果たし、当該スコア表示装置の大型化や重量の増加を招くことのない程度に小型のプリンターを一体に設けたものとすべきであり、その大きさを印刷用紙のサイズで示せば、Ｂ４サイズ以下のものに抑え、市場に普及している熱転写型あるいはインクジェット型等であってファックス用紙やレジスター用のレシート紙等に用いられるロール型の用紙やコピー用紙等比較的、容易に入手できる紙を使用できるものとするのが望ましい。
【００２８】
審判入力用端末は、当該スコア表示装置から遠隔操作可能であり、しかも互いにも隔絶して競技場に分散配置された複数の審判員が個別に操作し、スコア表示装置制御機能部の端末用受信部に送信、可能とする機能を果たすものであって、例えばスイッチのオンとオフのみの操作により、単一の信号を送信または無送信することが可能なものや、あるいは複数の各種入力ボタンを有して審判内容に応じて各種の入力が可能なものとすることができ、端末用受信部にケーブルで接続したものや、通信電波、赤外線等によって送信可能としたものとするのがよい。
【００２９】
【関連する発明】
上記したスコア表示装置に関連して、この発明にはそのスコア表示装置の制御方法も包含しており、その構成は基本的に次のとおりのものである。
即ち、表示画像を透視可能な程度に透明であり、手指または入力用ペン等の入力具による直接入力を可能としたタッチパネルを画面上に積層状に装着した入力用ディスプレイを設け、当該入力用ディスプレイに、少なくとも二種目以上の競技種目を表示し、その中から何れか一種目を任意選択可能とする競技種目選択画面、および選択された競技毎に個別のスコアボードを表示、ならびに該スコアボードへの入力を可能とする選択競技用スコアボード画面等の各入力画面を入力状況に応じて適宜選択的に表示すると共に、該タッチパネルからの入力に応じた各種スコアボード表示信号をビデオ信号によって外部出力可能とする制御機能部を設けてなるスコア表示装置を用いて、入力用ディスプレイに少なくとも二種目以上の競技種目から一種目を任意選択可能とする競技種目選択画面を表示する競技種目選択工程、入力用ディスプレイに選択競技用スコアボード画面を表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力等を受け、入力に応じたスコアボード表示信号をビデオ信号によって外部出力するビデオ信号出力継続工程とからなる前記何れか記載のスコア表示装置の制御方法である。
【００３０】
この発明のスコア表示装置の制御方法を、より具体的な表現で示すと、表示画像を透視可能な程度に透明であり、手指によって直接入力可能なタッチパネルを画面上に積層状に装着した入力用ディスプレイを設け、当該入力用ディスプレイに、少なくとも二種目以上の競技種目を表示し、その中から何れか一種目を任意選択可能とする競技種目選択画面、および選択された競技毎に個別のスコアボードを表示、ならびに該スコアボードへの入力を可能とする選択競技用スコアボード画面等の各入力画面を入力状況に応じて適宜選択的に表示すると共に、該タッチパネルからの入力に応じた各種スコアボード表示信号をビデオ信号によって外部出力可能とする制御機能部を設けた上、予め準備された選手情報、試合条件等の各種データの入力や、試合後に得られた得失点や選手交代等に関する各種データの出力および保存を可能とするリムーバブルメディア用の入出力用補助ドライブを設けてなるスコア表示装置を用い、当該スコア表示装置に単独のあるいはビデオスプリッタ等の接続機器を介して複数台の出力用ディスプレイを接続し、入力用ディスプレイに少なくとも二種目以上の競技種目から一種目を任意選択可能とする競技種目選択画面を表示する競技種目選択工程、タッチパネルからの入力によって任意に選択された競技種目に応じた選択競技用スコアボード画面を入力用ディスプレイに表示するスコアボード確認工程、選択競技用スコアボード画面中に、もしくは選択競技用スコアボード画面に続いて表示された選手名入力画面、試合時間入力画面等にタッチパネルを介して選手名や試合時間等のデータ入力を受けるか、あるいは予め準備されたリムーバブルメディアを介して同様のデータ入力を受ける初期データ入力工程、スコアボード表示信号をビデオ信号によって外部出力するビデオ信号出力開始工程、入力用ディスプレイに得失点入力画面を表示してタッチパネルからの得失点数の入力を受け、入力に応じたスコアボード表示信号をビデオ信号によって外部出力するビデオ信号出力継続工程とからなる前記何れか記載のスコア表示装置の制御方法であるということができる。
【００３１】
競技種目選択工程は、制御機能部からの入力画面用信号を受信した入力用ディスプレイが、夫々異なる競技種目名を表示した複数の操作ボタンを整然と配列表示し、利用者が自由に競技種目を選択可能とするものであり、例えばバスケットボール、バレーボール、ハンドボール、卓球、バドミントン、剣道、柔道、柔道団体、空手、弓道、体操、野球、サッカー、ラグビー、テニス等を個別に表示したボタンが配列表示され、制御機能部は、タッチパネルを介しての選択操作を待つこととなる。入力用ディスプレイの画面表示は、第一段階において「室内競技」か「屋外競技」か、あるいは「球技」、「武道」、「その他の競技」の操作ボタンを表示する等してそれらの競技分野の中から、何れか一つを選択して第二段階における各種対応競技の具体的な選択画面へと展開して行くものとすることが可能である外、タッチパネルによる良好な入力操作性を確保するために十分な操作ボタンの大きさを確保すると、競技種目が多過ぎて全ての操作ボタンが入力画面内に表示しきれない場合には、入力画面の上下端の何れか、または隅側等の見分けやすい適所に「次ページ」、「他の種目を表示」等の操作ボタンを表示しておき、これを選択操作することによって表示できなかった競技種目の操作ボタンが、画面を替えて表示されるようにすることができ、これら追加分の表示画面ページには、夫々「次ページ」、「他の種目を表示」等の操作ボタンの他に「前ページ」、「もどる」等、直前かまたは前記第一段階あるいは第二段階の第一ページ目に復帰する操作ボタンを適所に表示する必要がある。
【００３２】
スコアボード確認工程は、前記競技種目選択工程において目的とする競技種目の操作ボタンをタッチパネルを介して直接的に操作したことにより、任意に選択された競技種目に対応するスコアボードを、利用者がその内容を認識、確認できるよう入力用ディスプレイの画面上に表示するものであり、選択を誤った場合に速やかに、競技の選択画面へ戻れるよう、画面上の上下端の何れかまたは隅部等の発見容易な適所にリセットボタンを設けておく必要がある。また入力用ディスプレイに表示されるスコアボード画面には、チーム名や選手名、試合時間の設定入力およびそのストップウォッチ操作、得点や判定内容の入力およびクリアを可能とするよう各操作ボタンを表示することとなる。
【００３３】
初期データ入力工程は、前工程において利用者が入力用ディスプレイに表示されたスコアボードが目的とする競技種目用のものであると判断した後に、同スコアボード画面中のチーム名や選手名、試合時間の設定入力用等、各種入力用の操作ボタンを、タッチパネルを介して直接的に操作することにより、順次入力する工程であり、例えばチーム名や選手名等のように入力にワープロ機能を要する項目では、該当する操作ボタンを選択するとワープロ入力画面が同一画面上に、あるいは新たに表示された別画面上に立ち上がり、タッチパネルを介して文字情報を入力可能とし、入力を終了した後に、画面の適所に配置されている「もどる」または「消す」等の操作ボタンを選択すると、ワープロ入力した文字情報が書き込まれたスコアボード画面に戻るこができる。また、試合時間の入力では、「時」、「分」または「秒」の欄を選択すると、選択した欄が点滅し、同時にテンキーが表示され、タッチパネルから直接的に入力できるものとすることが可能であるが、試合時間の操作ボタンを操作すると、テンキーを有する試合時間入力画面が、画面を替えて立ち上がり、適宜時間を入力した後に「もどる」を選択することにより、スコアボード画面に戻ることができるものとすることも可能である。
【００３４】
ビデオ信号出力開始工程は、前工程における初期データ入力によって作成されたスコアボード画面を、競技施設に設置された各種大型ディスプレイや企業向けあるいは一般家電用に市販される大型ディスプレイに出力表示可能とするビデオ信号を外部に出力するものであり、入力用ディスプレイの適所に表示された出力開始ボタンを操作することによって制御機能部が、ビデオ信号を外部出力するものとするか、または、入力用ディスプレイの操作を開始すると同時に、全ての操作画面あるいはスコアボード画面のみのビデオ信号を外部出力するものとすることも可能であり、また画質や音声の調整用画面を設けたり、出力用ディスプレイに応じたビデオ信号を選択可能とすることができる。例えば、スコア表示装置の背面壁等の邪魔にならない適所にＲＢＧ出力端子、オーディオ出力端子、コンポジットビデオ出力端子、Ｓビデオ出力端子等の各種一般的な出力端子を配列、形成し、それらに応じた信号出力ができるものとしたり、表示画面の色調や明暗を調節することも可能であり、音響の音量や音質を調節できるよにすることもできる。
【００３５】
ビデオ信号出力継続工程は、ビデオ信号の出力を開始した後に競技の進行に伴って得点や選手の交代等が行われることとなるが、その都度逐次変化するスコアボードの表示内容を、入力用ディスプレイへのタッチパネルを介する入力情報に応じて自動的且つ瞬時に更新して行くものであり、例えば、タッチパネルを介して入力用ディスプレイ上の得点を追加入力した後に、得点入力用テンキーのリターンボタンを操作すると、このリターン操作を切っ掛けとして自動的に追加得点を表示するスコアボード画面のビデオ信号が出力されるものとすることができ、さらに、審判入力用端末等かの入力を受けた制御機能部が、これに応じた情報を加味したビデオ信号を瞬時に自動出力するものとすることも可能である。
【００３６】
また、前記各工程の外にも、スコア表示装置の起動および終了操作を行う初期画面を設けたり、あるいは、制御機能部に付属する入出力用補助ドライブや小型プリンター、審判入力用端末等を起動可能とする各部起動、操作スイッチ画面等を設定し、適時入力用画面のスコアボード画面から各周辺装備の起動、操作画面に移動し、任意に操作できるようにしたものとすることができ、さらに、出力用ディスプレイを直接スコア表示装置に接続し、スコア表示装置と出力用ディスプレイとが一対一に対応するよう使用することが可能であるが、複数の出力端子を設けたり、ビデオスプリッターを介する等して複数台の出力用ディスプレイに対して信号出力することも可能である。
以下では、図面に示すこの発明を代表する実施例と共に、その構造について詳述することとする。
【００３７】
【実施例１】
図１のスコア表示装置のブロック図に示される事例は、画面上にタッチパネルを装着した入力用ディスプレイに対してＣＰＵおよびそれに接続されたＲＯＭとＲＡＭとを有する制御機能部を設けた基本的構成からなるこの発明のスコア表示装置における代表的な一実施例を示すものである。
【００３８】
当該スコア表示装置１は、Ａ４またはＢ４サイズ程度の平板状で肉厚寸法が３〜５ｃｍ程度に形成された図示しない本体ボディを有し、その表面の２〜３ｃｍ幅の外周縁部を除く中央には、入力用ディスプレイとしての略矩形状のＬＣＤ画面２が嵌め込まれており、該ＬＣＤ画面２外側表面の全面には、抵抗膜型のタッチパネル３が積層状に装着、一体化され、その裏面側となる本体ボディ内側には、スコアボード表示用の制御プログラムを実行可能とするＣＰＵ４１と、該制御プログラムを記憶してＣＰＵ４１に読み取り可能に接続されたＲＯＭ４２、ならびにＣＰＵ４１に接続され、制御プログラムの実行中に発生したデータを読み取り、書き込み可能に一時的に保存するＲＡＭ４３とからなる制御機能部４が内蔵され、該ＣＰＵ４１がＬＣＤ画面２およびタッチパネル３を制御し、さらに、制御プログラムによって作成されたスコアボード表示信号をＮＴＳＣ方式まはたＭＵＳＥ方式の中の何れかのビデオ信号によって外部出力可能な図示しない出力端子が設けられたものとなっている。
【００３９】
また、図２のスコア表示装置のブロック図に示すスコア表示装置１のように、ＣＰＵ４１と入力用ディスプレイであるＬＣＤ画面２との間に、入力用画面表示用回路４４を介在させ、また、ＣＰＵ４１と、図示しないビデオ信号の出力端子との間にビデオ信号出力用回路４５を設けて、画像出力機能に特化した電気回路をＣＰＵ４１が制御するようにすることも可能である。
【００４０】
【実施例２】
図３のスコア表示装置のブロック図に示すスコア表示装置１は、前記実施例１の図１中に示すスコア表示装置１と略同様の基本構成を有しており、制御機能部４のＲＯＭ４２を廃止し、その替わりにカード用ドライブ４６をＣＰＵ４１に接続したものとされ、スコア表示装置１とは別体に形成された競技別カード型ＲＯＭ５をカード用ドライブ４６に挿込み、ＣＰＵ４１が競技別カード型ＲＯＭ５に記憶された読取り専用制御プログラムを読み取り、実行できるようにしたものであり、競技別カード型ＲＯＭ５は、競技毎に個別に製作され、それらを複数揃えておくか、あるいは、競技分野毎に幾つかの制御プログラムを纏めて記憶させたものとすることが可能であり、ルールの変更等に伴うスコア表示形式の改正があれば、それに応じて新たに製造された競技別カード型ＲＯＭ５と交換して使用することとなる。
【００４１】
【実施例３】
図４のスコア表示装置のブロック図に示すスコア表示装置１は、その基本的構成を図１に示したスコア表示装置１と略同様のものとしており、制御機能部４に入出力用補助ドライブ４７を設け、スコア表示装置１とは別体であるフロッーピーディスクやＭＯディスク等のパソコン等を用いて読み書き可能なリムーバブルメディア６を脱着可能とし、該リムーバブルメディア６に対し競技に出場するチーム名や選手名等の初期情報を予め入力しておき、競技開始直前にリムーバブルメディア６を入出力用補助ドライブ４７に挿込み、ＣＰＵ４１を介してＲＡＭ４３に一時的に読み取り記録し、その記録情報をＲＯＭ４２に記憶された制御プログラムの実行に伴って利用可能とするものとなっており、さらに、スコア表示装置１の本体ボディにはビデオスプリッター８が組み込まれてＣＰＵ４１から出力されたビデオ信号を、複数台の出力用大型ディスプレイ９，９に向けて出力できるものとしている。
【００４２】
【実施例４】
また、図５のスコア表示装置のブロック図に示すスコア表示装置１は、その基本的構成が図１中に示したものと略同様に形成されたスコア表示装置１の本体ボディ内に、無線信号を受信可能な端末用受信部４８を設け、ＣＰＵ４１に接続したものとなっており、スコア表示装置１とは別体であって個別に識別可能な無線信号を発信する複数の審判入力用端末７，７，……を設け、各審判入力用端末７，７，……が発信する端末信号を順次あるいは同時に、且つ個別に受信可能なものとされ、該端末用受信部４８からの信号を受信したＣＰＵ４１が、各審判の入力を認識し、制御プログラムに従って演算処理したデータを加味したスコアボード表示画面のビデオ信号を、出力用大型ディスプレイ９に向けて自動的に出力可能なものとなっている。
【００４３】
【発明の作用】
以上のとおりの構成からなるこの発明のスコア表示装置１は、この発明に包含されるスコア表示装置の制御方法により、以下のように制御される。
図１に示したスコア表示装置１は、電源スイッチ（図示しない）をオン操作すると、制御機能部４が起動し、ＣＰＵ４１がＲＯＭ４２に記憶されている制御プログラムを読み取り、図６のスコア表示装置の制御プログラムのフローチャートに示すとおりの動作を開始する。
【００４４】
制御プログラムを読み取ったＣＰＵ４１は、競技種目選択工程（ａ）に従ってＬＣＤ画面２に、図７の競技種目選択画面の正面図に示す、合計１１項目の競技種目毎の競技選択用入力ボタン２２，２２，……を整然と配列する競技種目選択画面２１を表示し、利用者によるタッチパネル３を介した入力を待つこととなる。
【００４５】
利用者が、ＬＣＤ画面２に表示された競技選択用入力ボタン２２，２２，……の中の剣道の競技選択用入力ボタン２２を任意に選択し、タッチパネル３の該当する位置に手指を接触させると、タッチパネル３からの座標位置信号を受信したＣＰＵ４１が、選択された競技選択用入力ボタン２２に対応する、図８の入力用スコアボード表示画面の正面図に示されるような、剣道用スコアボードの画像信号をＬＣＤ画面２に送り、同ＬＣＤ画面２が剣道用スコアボード２３を表示し、スコアボード確認工程（ｂ）が実行され、表示された画面を視覚的に認識した利用者は、スコアボードの形式が正しいか否か確認することとなる。
【００４６】
続いて、利用者は、ＬＣＤ画面２の剣道用スコアボードにおける選手名表示欄を選択すると初期データ入力工程（ｃ）が実行され、ＣＰＵ４１は、図９の文字入力用ワープロ画面の正面図に示されるとおり、ワープロ画面２４を表示し、タッチパネル３が利用者の手指による入力を受けて選手名の入力を可能とし、同ワープロ画面２４上の「もどる」と表示されたボタンに触れると、図８のスコアボード２３の表示に復帰することとなり、二人の選手名の夫々について同様の操作を繰り返し行うことにより、選手名の入力が完了する。
【００４７】
さらに、利用者がスコアボード画面２３の時間が表示された欄に触れると、図１０の試合時間入力画面の正面図に示すように、時間入力画面２５が表示され、分の単位や秒の単位を個別に選択すると、夫々についてテンキーの操作板２６が現れ、ルールに定められた競技時間に応じて入力することが可能となり、テンキー２６上のエンターキーを押すと時間の設定がなされてテンキー２６が消えてしまい、「登録」ボタンを操作すると、設定した時間が計測時計の制御プログラムに登録設定され、さらに、時間入力画面２５上の「もどる」のボタンを選択して剣道用スコアボード画面２３に復帰する。初期データ入力工程（ｃ）は、時間の設定入力を先に行い、その後に選手名の入力を行うことも可能であり、何れの情報入力から開始しても、支障なく操作することが可能である。
【００４８】
このように初期入力を完了した時点で、スコア表示装置１のビデオ信号出力用の出力端子を、図１中に示すように、ビデオスプリッター８を介して二台の出力用大型ディスプレイとしての３７型〜５０型のＰＤＰ９，９の各ＲＧＢ端子に接続し、各ＰＤＰ９，９の電源スイッチを入れ、外部入力用のチャンネルに合わせると、スコア表示装置１が出力するビデオ信号を受けて入力用ディスプレイのＬＣＤ画面２に表示されているのと略同一であり、「リセット」「もどる」「メニュー」等の不要な操作ボタン等をなくし、スコアボードに必要な情報のみを掲載した剣道用のスコアボードが大型の画面一杯に拡大、表示され、ビデオ出力開始工程（ｄ）が実行された状態となる。
【００４９】
スコア表示装置１は、起動と同時にスコアボード表示画面をビデオ信号として外部出力可能な状態となっているが、入力用ディスプレイ２のＬＣＤ画面上の適所に「スコアボードの表示」や「スコアボード表示開始」等と書かれた操作ボタンを表示し、このボタンを操作することにより、ビデオ出力開始工程（ｄ）を開始するようにすることも可能であり、当該制御方法においては、初期入力を終えた後に実質的にスコアボードの機能を果たすことができるようになった時点でビデオ出力開始工程（ｄ）が実行に移されたと定義づける。
【００５０】
試合が開始されると同時に、利用者が、図８中に示す入力用ＬＣＤ画面２の時間表示部分にある「開始」（図中は「停止」に反転している状態を表示。）ボタンを操作すると、タッチパネル３から座標信号が送られ、これを受けたＣＰＵ４１が「開始」ボタンの操作を認識して時計を起動させ、時計が起動されたときには「開始」ボタンが「停止」ボタンに自動的に反転表示される。試合が途中、中断したときには、利用者が、即座に「停止」ボタンに触れて時計を停止させる必要があり、操作を受けた「停止」ボタンは「開始」に反転表示され、試合が再開されたときに、再度、利用者が「開始」ボタンに触れて時計を起動させることとなるが、このような時計操作を、図５中の審判入力用端末７の一つによって審判が自ら操作することも可能である。
【００５１】
利用者は、試合の進行と共に審判員が下す審判結果を「面」「胴」等、各得点項目の外側に対応する操作ボタンを入力操作し、得点等の加算入力を行い、これを受けたタッチパネル３、ＣＰＵ４１、ＲＯＭ４２およびＲＡＭ４３が、夫々連繋して順次新たなスコアボード表示用のビデオ信号を継続的に出力し、ビデオ信号出力継続工程（ｅ）を実行することとなる。
【００５２】
初期入力された試合時間を経過すると、自動的に時計が停止して白色の時間表示が赤色表示に変わり、試合の終了を告げた状態となり、これと同時に出力用大型ディスプレイ９のスピーカーを通じて試合終了を知らせる信号音を自動的に発するものとすることも可能である。
【００５３】
試合が終了した後に利用者は、入力用ＬＣＤ画面２の時間表示範囲を選択した後に、画面隅に設定されている「リセット」ボタンを操作し、また得点欄を選択した後に、同様に「リセット」ボタンを操作して時間および得点をゼロの表示状態とし、さらに、別の選手同士の試合が開始されるときには、初期データ入力工程（ｃ）に戻って各選手名の入力を行い、再度、同様の操作を行うことによってビデオ信号出力継続工程（ｅ）を実行、継続させることができる。
【００５４】
全ての試合が終了した後には、入力用ＬＣＤ画面２の「メニュー」ボタンを操作して競技種目選択画面２１に戻すことにより、競技種目選択工程（ａ）から再度入力操作を開始することができ、剣道以外の別の競技のスコアボードを表示させる場合にも、基本的に同様の入力操作によって各種初期入力や得点入力等を行うことができ、また、使用を終えた場合には、スコア表示装置１の電源をオフ操作することにより、全ての機能を停止させることができる。
【００５５】
図２に示したスコア表示装置１は、ＣＰＵ４１に入力用画面表示用回路４４およびビデオ信号出力用回路４５を接続したことにより、画像処理速度が向上すると共に、画質を向上させることが可能となり、また、音声処理能力を向上させることも可能であり、試合前後のＢＧＭや選手入場音楽、その他の効果音等を出力用大型ディスプレイ９，９等を介して場内放送できるようにすることも可能である。
【００５６】
図３中のスコア表示装置１は、内蔵型のＲＯＭを廃止して、制御プログラムを記憶させた競技別カード型ＲＯＭ５を試合の種類に応じてカード用ドライブ４６に挿し込むこととなり、必要な競技別カード型ＲＯＭ５のみを選択的に購入することができ、試合ルールに変更があった場合にも、それに応じた競技別カード型ＲＯＭ５を準備することにより、支障なく利用することが可能となる。
【００５７】
図４のスコア表示装置１によれば、内蔵型のＲＯＭ４２やＲＡＭ４３の外にも入出力用補助ドライブ４７を有しているので、選手名やチーム名等の初期入力データを予めリムーバブルメディア６に記憶させておけば、試合直前に慌ててタッチパネル３を介して直接的入力を行うのに比較して迅速且つ正確に入力することが可能となり、しかも、フロッーピーディスクやＭＯディスク等のリムーバブルメディア６は、パソコン等を用いて読み書きできることになるので、スコア表示装置１を持たない人でも、試合会場に持参すれば、これを利用することが可能である。
【００５８】
図５中に示したように、端末用受信部４８を設けたことから、複数台の審判入力用端末７，７，……からの端末信号を受信可能としたスコア表示装置１は、例えば、柔道や体操等の複数の審判員を要する競技において有効に利用可能であり、各審判員が各自審判入力用端末７を持ち、競技中に審判を下すと同時に審判入力用端末７にその審判内容を入力すると、各審判入力用端末７，７，……からの信号を受信した端末用受信部４８、ＣＰＵ４１、ＲＯＭ４２およびＲＡＭ４３が、これら複数の審判員の審判結果を瞬時の中に、各競技のルールに基づいて演算処理し、出力用大型ディスプレイ９，９のスコアボード上に表示可能となり、より円滑なスコアボード表示作業が可能となる。
【００５９】
【発明の効果】
以上のとおり、この発明のスコア表示装置によれば、何よりも先ず、タッチパネルを有する入力用ディスプレイに、複数種目のスコアボード表示信号をビデオ信号によって外部出力可能とする制御機能部を設けてなり、電光型スコアボード等の大型出力装置を一切排除した基本構成としたことにより、当該スコア表示装置のみを競技場に運搬し、競技場に備え付けられている一般的な大型ディスプレイを電光型のスコアボード表示器に替えてそのまま利用することができるために、アマチュアチーム同士の簡易的な試合等に簡便に使用できることになるばかりか、各種スタジアムの大型スクリーン等、ビデオ信号を画像化して表示できる大型の表示器も、スコアボードとして使用することができるので、従前までの競技用スコア表示器に操作用の入力部を付属していた表示装置に比較して格段に利便性に秀れたものになるという特徴を挙げておかなければならない。
【００６０】
そして、入力用ディスプレイに表示された表示画面に従って選択ボタンや入力ボタンを自由に選択し、画面上に積層されているタッチパネルを手指または入力用ペン等で直接的に操作することにより、初めて取り扱う初心者であっても、操作内容を入力用ディスプレイ上で確認しながら容易にスコアボードを表示させることができるようになるので、従前までのもののように実際のスコア表示を確認することが難しく、操作が複雑で操作法を熟知した係員がいないと円滑な操作が困難であったスコア表示器に比較して格段に操作し易く、比較的簡潔的な制御プログラムとハードディスクドライブを持たない比較的簡素な構造とにより、制御機能部がフリーズ状態となったり、画像表示が乱れてしまうような弊害を大幅に減少させることができるという秀れた特徴を兼ね備えている。
【００６１】
また、この発明のスコア表示装置の制御方法によれば、当該スコア表示装置を起動すると、先ず、制御機能部が競技種目選択工程を実行し、入力用ディスプレイに競技種目選択画面が表示され、表示された複数の競技種目の中から、目的とする競技を選択すると、次にスコアボード確認工程が実行され、選択に誤りがないか確認することができ、続く初期データ入力工程、ビデオ信号出力開始工程、ビデオ信号出力継続工程では、入力用ディスプレイを見ながら、手指や入力用ペン等を用いて直接的に入力することができることになって、従前までのような大型スコアボードを見て表示を確かめながらの遠隔操作的な繁雑な入力作業を解消し、平易に入力作業を進めることができ、しかも、タッチパネルを介した入力に基づいて入力用ディスプレイの表示が次々に展開して利用者を迷わせる事なく、正確なスコアボード表示に簡潔に誘導してくれることから、特に専門的な知識のない初めての利用者であっても、競技の進行に沿って十分に円滑な操作ができるという大きな効果を発揮するものとなっている。
【００６２】
特に、実施例に説明したスコア表示装置１は、上記した特徴に加え、図３中に示したように、制御機能部４にカード用ドライブ４６を設け、多数の競技種目毎の制御プログラムを個別に記憶させた複数の競技別カード型ＲＯＭ５，５，……を市場に提供することにより、利用者は必要とする競技の競技別カード型ＲＯＭ５のみを選択して購入、使用することができ、経済的である上、一部の競技にルールの変更等があった場合にも、該当する競技別カード型ＲＯＭ５だけを買い替えれば足り、スコア表示装置１内に内蔵された全競技用の制御プログラムを記憶させたＲＯＭを、販売店や工場に持ち込んだり、専門の作業員の派遣を受けて交換しなければならない等というような不都合を解消することができ、長年に渡る使用にも耐え得るものとなって、経済的な負担をそれだけ軽減するといった実用的な効果が得られることになる。
【００６３】
さらに、図４中に示したスコア表示装置１のように、入力用補助ドライブ４７を設けることにより、フロッーピーディスクやＭＯディスク等のリムーバブルメディア６に予め入力しておいたチーム名や出場選手名等の各種データを、制御機能部４に簡単に読み込むことが可能となり、多数の試合が過密スケジュールで行われる場合等の試合前の繁雑なデータ入力作業を短時間の中に完了可能とし、一段と円滑な試合および大会等の運営を可能とするだけではなく、競技終了後にＲＡＭ４３を含む制御機能部４中に残された各種データを、リムーバブルメディア６に保存することにより、その後のデータ管理や、次回以降の試合の初期入力作業等に有効活用することができるという利点まで得られるものとなっている。
【００６４】
そして、スコア表示装置１の本体ボディに、図示しない小型プリンターを添設するようにしたものでは、ＲＡＭ４３の容量では足りない程に、連続して行われた競技のスコアや選手名等の各種データを、該小型プリンターから次々に印字、出力することが可能となり、記録ノートへの繁雑な書き写し作業を解消してスコア表示装置１への入力操作に専念することができるという効果がもたらさられるものとなる。
【００６５】
また、図５中に示したとおり、制御機能部４に端末用受信部４８を設けるようにしたものでは、複数の審判入力用端末７，７，……から送信された審判結果を、同時にあるいは順次、個別の信号として受信し、各審判の審判結果に基づいたスコアボード表示を瞬時に且つ自動的に行うことを可能ならしめ、一人の入力操作であれば、複数の審判が個別に判定する体操やフィギュアスケート、柔道等の表示作業が大変繁雑となって競技の流れに即応することが困難になるところ、それ等の競技であっても極めて円滑に対応することができるようになるという効果を発揮する。
【００６６】
叙述の如く、この発明のスコア表示装置、およびその制御方法は、その新規な構成によって所期の目的を遍く達成可能とするものであり、しかも製造も容易であって大量生産可能としたことにより、従前までの単価に比較し、遥かに経済的なものとすることができる上、既存の受像機を利用可能として一層低コスト化を図れるようにしただけではなく、出力用ディスプレイのトラブルにも対応し易くして利便性をも兼ね備えたものとなっており、従前までの専用の電光スコア表示器以上の表示性能を確保しながら、購入および維持経費を大幅に削減可能にするものとなることから、体育館やスタジアム等といった各種競技場を維持、管理しなければならない自治体や団体、スポーツ関連業界等から高く評価され、広範に渡って利用、普及していくものになると予想される。
【図面の簡単な説明】
図面は、この発明のスコア表示装置、およびその制御方法の技術的思想を具現化した代表的な幾つかの実施例を示すものである。
【図１】基本的なスコア表示装置の構成を示すブロック図である。
【図２】僅かに形態の異なるスコア表示装置の構成を示すブロック図である。
【図３】カード用ドライブを有するスコア表示装置を示すブロック図である。
【図４】入力用補助ドライブを設けたスコア表示装置を示すブロック図である。
【図５】端末用受信部を添設したスコア表示装置を示すブロック図である。
【図６】当該発明の基本的な制御方法を概念的に示すフローチャートである。
【図７】入力用ディスプレイに表示された競技種目選択画面を示す正面図である。
【図８】入力用ディスプレイに表示されたスコアボードを示す正面図である。
【図９】入力用ディスプレイに表示されたキーボードを示す正面図である。
【図１０】入力用ディスプレイに表示された時間入力画面を示す正面図である。
【符号の説明】
１      スコア表示装置（本体ボディ）
２      入力用ディスプレイ（ＬＣＤ画面）
２１    同  競技種目選択画面
２２    同  競技選択用入力ボタン
２３    同  剣道用スコアボード
２４    同  ワープロ画面
２５    同  時間入力画面
２６    同  テンキー
３      タッチパネル
４      制御機能部
４１    同  ＣＰＵ
４２    同  ＲＯＭ
４３    同  ＲＡＭ
４４    同  入力用画面表示用回路
４５    同  ビデオ信号出力用回路
４６    同  カード用ドライブ
４７    同  入出力用補助ドライブ
４８    同  端末用受信部
５      競技別カード型ＲＯＭ
６      リムーバブルメディア
７      審判入力用端末
８      ビデオスプリッター
９      出力用大型ディスプレイ
（ａ）    競技種目選択工程
（ｂ）    スコアボード確認工程
（ｃ）    初期データ入力工程
（ｄ）    ビデオ出力開始工程
（ｅ）    ビデオ信号出力継続工程
【図１】
2004208882.tif 000003
【図２】
2004208882.tif 000004
【図３】
2004208882.tif 000005
【図４】
2004208882.tif 000006
【図５】
2004208882.tif 000007
【図６】
2004208882.tif 000008
【図７】
2004208882.tif 000009
【図８】
2004208882.tif 000010
【図９】
2004208882.tif 000011
【図１０】
2004208882.tif 000012